(57)【要約】【課題】Ｔシャツのような折返し襟のないシャツを着用して、ネックストラップを吊り下げた際に、ストラップが直に首周りの肌に触れないように工夫したシャツを提供する。【解決手段】折返し襟なしのシャツ本体１の首周りの襟縁２に沿って、首から被吊下物Ｔを吊り下げるためのネックストラップＳを挿通保持する略筒状の通し部３を設け、ネックストラップＳは、その途中に係脱操作自在とした結合具Ｃを設け、結合具Ｃの係脱操作によりループ状に結合若しくは結合具Ｃの部分で左右に分離可能とする。【選択図】　　　　図１
0003098099.tif 000002
【実用新案登録請求の範囲】
【請求項１】
折返し襟なしのシャツ本体の首周りの襟縁に沿って、首から被吊下物を吊り下げるためのネックストラップを挿通保持する通し部を設けたことを特徴とするシャツ。
【請求項２】
前記通し部は、前記襟縁に沿って略筒状に形成され、前記ネックストラップは、その途中に係脱操作自在とした結合具が設けられて、該結合具の係脱操作によりループ状に結合若しくは結合具の部分で左右に分離可能とされていることを特徴とする請求項１に記載のシャツ。
【請求項３】
前記通し部は、前記襟縁に沿ってテープ状部材の一方の縁を襟縁の内部に、テープ状部材の他方の縁を襟縁の外部に沿って接合させることにより、筒内に襟縁の内縁部を突出させた状態で略筒状に形成され、前記ネックストラップは、その途中に係脱操作自在とした結合具が設けられて、該結合具の係脱操作によりループ状に結合若しくは結合具の部分で左右に分離可能とされていることを特徴とする請求項１又は２に記載のシャツ。
【請求項４】
前記通し部は、その少なくとも一部に、前記結合具を係脱操作するための開口を設けていることを特徴とする請求項２又は３に記載のシャツ。
【請求項５】
前記通し部は、前記襟縁の長手方向に沿って、間欠的に設けられていることを特徴とする請求項１乃至４のいずれか１項に記載のシャツ。
【請求項６】
前記通し部は、首側の縁が前記襟縁に接合されており、反対側の縁が前記シャツ本体の外表面側で、接合手段により着脱自在に接合されていることを特徴とする請求項１乃至５のいずれか１項に記載のシャツ。
【請求項７】
折返し襟なしのシャツ本体の首周りの襟縁に沿って互いに着脱する係止具の一方を設け、首から被吊下物を吊り下げるためのネックストラップに前記係止具の一方に着脱する係止具の他方を設け、前記係止具の一方と他方を係止してシャツ本体の首周りにネックストラップを着脱自在に設けたことを特徴とするシャツ。
【請求項８】
前記ネックストラップは、テープ状に形成されており、前記係止具は、ホック又は面ファスナーにより形成されていることを特徴とする請求項７に記載のシャツ。
【考案の詳細な説明】
【０００１】
【考案の属する技術分野】
本考案は、主として、Ｔシャツなどの折返し襟のないシャツに関するものである。
【０００２】
【従来の技術】
この種の折返し襟のないシャツでは、キーホルダー用や携帯電話機のためのネックストラップ、最近では、飲料用のボトルのためのネックストラップを首から下げて使用する際、首にあたるストラップが歩行する度に首に擦れて痛いという問題がある。携帯電話機以外のもの、例えば、キーホルダーやペットボトルのような重量物を吊り下げた場合に、首への負担が大きく上記の症状が著しい。特に、薄着となる夏期に、発汗したり、日焼けした首周りの肌に、ストラップが直に触れると、首の部分にかなりの擦傷を与える恐れがある。
【０００３】
【考案が解決しようとする課題】
本考案は、上記事情に基づいてなされたもので、その目的とするところは、Ｔシャツのような折返し襟のないシャツを着用して、ネックストラップを吊り下げた際に、ストラップが直に首周りの肌に触れないように工夫した折返し襟のないシャツを提供することにある。
【０００４】
【課題を解決するための手段】
このため、本考案の折返し襟なしのシャツは、図示の実施の形態でも明らかにしたように、折返し襟なしのシャツ本体１の首周りの襟縁２に沿って、首から被吊下物Ｔを吊り下げるためのネックストラップＳを挿通保持する通し部３を設けたことを特徴とする。
【０００５】
また、本考案では、上記通し部３は、上記襟縁２に沿って略筒状に形成され、上記ネックストラップＳは、その途中に係脱操作自在とした結合具Ｃが設けられて、該結合具Ｃの係脱操作によりループ状に結合若しくは結合具Ｃの部分で左右に分離可能とされていることを特徴とする。通し部３は、襟縁２に沿ってテープ状部材の一方の縁を襟縁２の内部に、テープ状部材の他方の縁を襟縁２の外部に沿って接合させることにより、筒内に襟縁の内縁部を突出させた状態で略筒状に形成されている。
【０００６】
さらに、上記通し部３は、その少なくとも一部に、外側から、手で上記結合具Ｃを係脱操作するための開口３ａを設けている。
【０００７】
また、図３の実施の形態に示すように、上記通し部３は、上記襟縁２の長手方向に沿って、間欠的に設けられ、間欠的に設けられた各通し部３の間に、手で上記結合具Ｃを係脱操作するための開口３ａを設けるようにしても良い。
【０００８】
また、図４及び図５の実施の形態に示すように、上記通し部３は、首側の縁が上記襟縁２に接合されており、反対側の縁３ｃが上記シャツ本体１の外表面側で、ホックやボタンのような接合手段４により着脱自在に接合させるようにしても良い。
【０００９】
またさらに、図６の実施の形態に示すように、折返し襟なしのシャツ本体１の首周りの襟縁２に沿って互いに着脱するホックのような係止具５の一方（雄側ホック）を設け、首から被吊下物Ｔを吊り下げるためのネックストラップＳに上記係止具５の一方に着脱する係止具５の他方（雌側ホック）を設け、上記係止具５の一方と他方（雌雄）を係止して、シャツ本体１の首周りにネックストラップＳを着脱自在に設けるようにしても良い。
【００１０】
上記ネックストラップＳは、テープ状に形成されており、上記係止具５は、ホック又は面ファスナーにより形成されている。
【００１１】
このような本考案の構成では、ネックストラップＳが、ストラップ通し部３、あるいは、係止具５により、襟縁２よりシャツ側に保持されるので、使用に際して、直に首周りの肌に触れることがなく、痛みや不快感を与える恐れがない。特に、ボトルのような重量物吊下げのためにストラップが使用される場合には、人体の動きにつれて擦傷を生じる恐れを回避できる。
【００１２】
【考案の実施の形態】
（第１の実施の形態）
以下、本考案に係る第１の実施の形態を、図面を参照しながら、具体的に説明する。この実施の形態でのシャツは、基本的には、Ｔシャツのような折り返し襟のないシャツ本体１の首周りの襟縁２に、そのシャツ本体１の外表面側でネックストラップＳ（この実施の形態では、携帯電話機などの被吊下物Ｔを吊持するために用いられている）を保持するためのストラップ通し部３を装備したことを特徴とする。
【００１３】
また、本考案の実施の形態においては、ストラップ通し部３が、襟縁２の部分と共に首の後部位置を主体とする略筒状の通し部材で構成されており、図１および図２に示すように、ストラップ通し部３が、襟縁２の長手方向のほぼ全域に亘って構成され、少なくとも、ネックストラップＳを中間部で係脱してループ状にするための結合具Ｃ（例えば、特開２００２−１０１９２０号公報に開示）が位置される部位（この実施の形態では、首の後部位置）に、結合具Ｃの着脱のための操作用の開口３ａをスリット状に設けている。この略筒状の通し部３は、襟縁２に沿ってテープ状部材の一方の縁を襟縁２の内部に、テープ状部材の他方の縁を襟縁２の外部に沿って接合させることにより、筒内に襟縁の内縁部を突出させた状態で略筒状に形成されている。
【００１４】
このような構成では、ネックストラップＳの端部を、襟前から筒状のストラップ通し部３に通して、その結合具Ｃの雌雄部材を、首の後部位置にある開口３ａまで誘導し、そこから外部に引き出して結合させ、その後、ストラップ通し部３内に納める。これにより、ネックストラップＳが通し部材により、襟縁２よりシャツ側に保持されるので、使用に際して、直に首周りの肌に触れることがなく、痛みや不快感を与える恐れがない。特に、ペットボトルのような重量物吊下げのためにストラップが使用される場合には、人体の動きにつれて振れ、擦傷を生じる恐れを回避できる。
【００１５】
また、本考案に係る別の実施の形態として、ストラップ通し部３は、図３に示すように、襟縁２の長手方向に間欠的に設けられている。この場合は、ストラップ通し部３のない開口３ａ個所で、結合具Ｃの雌雄部材の結合をなすことができる。
【００１６】
更に別の実施の形態として、ストラップ通し部３は、図４および図５に示すように、首側の縁３ｂが襟縁２に接合されており、反対側の縁３ｃが襟縁２の外側で、接合手段４（この実施の形態では、ホック止め部材が用いられているが、面ファスナーやスライドファスナー或いはボタンとボタン穴などを用いても良い）により、着脱自在に接合される筒状若しくは折り返し状の通し部材で構成されている。このような構成では、接合手段４を外して置いて、ネックストラップＳを首周りにかけ、通し部材を被せて、接合手段４を接合すれば、ネックストラップＳが通し部材３に保持されることになる。この場合は、ネックストラップＳの長さにもよるが、ネックストラップＳに結合具Ｃを備えないループ形の場合にも適用できる。
【００１７】
このような構成では、ネックストラップＳがストラップ通し部３により、襟縁２よりシャツ側に保持されるので、使用に際して、直に首周りの肌に触れることがなく、痛みや不快感を与える畏れがない。特に、ボトル吊下げのためにストラップが使用される場合には、人体の動きにつれて擦傷を生じる畏れを回避できる。
【００１８】
（第２の実施の形態）
本考案に係る第２の実施の形態として、シャツとストラップとは、図６に示すような構成にしても良い。即ち、ここでは、折返し襟なしのシャツ本体１の首周りの襟縁２に沿って互いに着脱する係止具５の一方（符号５ａで示す）を設け、首から被吊下物Ｔを吊り下げるためのネックストラップＳに係止具５の一方に着脱する係止具５の他方（符号５ｂで示す）を設け、係止具５の一方と他方とを係止してシャツ本体１の首周りにネックストラップＳを着脱自在に設ける。
【００１９】
この場合に、ネックストラップＳは、テープ状に形成されており、また、係止具５は、具体的には、ホック（雌・雄スナップ）または面ファスナーにより構成されている。
【００２０】
従って、ネックストラップＳを首周りに掛けた際に、係止具５の一方を他方に係止することで、ネックストラップＳが襟縁２よりシャツ側に保持されるので、使用に際して、直に首周りの肌に触れることがなく、痛みや不快感を与える恐れがない。特に、ボトル吊下げのためにストラップが使用される場合には、人体の動きにつれて擦傷を生じる畏れを回避できる。
【００２１】
【考案の効果】
このようにして、本考案によれば、シャツ本体の首周りの襟縁に、ネックストラップを保持するため、襟縁にストラップ通し部を装備し、あるいは襟縁とストラップとで互いに係止する係止具を装備したので、この僅かな工夫により、ネックストラップの使用に際して、ストラップが直に首周りの肌に触れないから、折返し襟のないシャツに、ネックストラップを首掛けしても、何ら不都合がなく、首周りの肌に直接、触れないため、痛みや不快感がなく、特に、擦傷などを回避できる実用上の効果が得られる。
【００２２】
本考案において、請求項２のように、ネックストラップの途中に係脱操作自在の結合具を介設させることにより、結合具の箇所で分離させたネックストラップの一端を略筒状通し部に挿通させた後、通し部の外で結合具を係合させることにより、ネックストラップの挿通保持作用が容易となる。また、請求項４のように通し部の一部に開口を設け、あるいは、請求項５のように、通し部を間欠的に設けることにより、ネックストラップを開口から引き出して結合具を係脱操作でき、その作業が容易でる。
【００２３】
請求項３のように、略筒状となる通し部を、テープ状部材により形成し、通し部の内部にシャツの襟縁の内縁部を突出させた状態で、通し部を形成させることにより、略筒状通し部の外形が保持され、着衣性の点でも優れており、通し部内に突出する上記襟縁の内縁部をガイドとしてネックストラップの挿通作業も容易化する。
【図面の簡単な説明】
【図１】本考案に係る第１の実施の形態を示す、要部の正面図である。
【図２】同じく、背面図である。
【図３】本考案に係る他の実施の形態を示す、要部の正面図である。
【図４】本考案に係る更に他の実施の形態を示す、要部の正面図である。
【図５】同じく、背面図である。
【図６】本考案に係る第２の実施の形態を示す、要部の正面図および分離正面図である。
【符号の説明】
１　　シャツ本体
２　　襟縁
３　　通し部
３ａ　　開口
３ｂ　　首側の縁
３ｃ　　反対側の縁
４　　接合手段
５　　係止具
Ｓ　　ネックストラップ
Ｃ　　結合具
Ｔ　　被吊下物
【図１】
0003098099.tif 000003
【図２】
0003098099.tif 000004
【図３】
0003098099.tif 000005
【図４】
0003098099.tif 000006
【図５】
0003098099.tif 000007
【図６】
0003098099.tif 000008